(57)【要約】【課題】ＬＣＤのバックライトが樹脂を透過して見えたり、ストロボ光が樹脂を透過して調光センサの誤動作も生じやすい。従来は光漏れのある箇所にキャビネット内側から黒いシートを貼付し、光漏れを防止していたが、部品の増加とシート貼付工数などコストアップにつながっていた。【解決手段】光学機器の外装として、透明ないし半透明もしくは光が透過しやすい色彩外装キャビネット２１、２２を備えた光学機器において、調光センサ窓５の周囲等の光漏れを防止すべき部分（影を付した部分４１）に遮光性の高い樹脂を配設して一体成形したキャビネットを備えた。【選択図】        図１
2004184671.tif 000002
【特許請求の範囲】
【請求項１】
透明ないし半透明もしくは光が透過しやすい色彩外装キャビネットを備えた光学機器において、光漏れを防止すべき部分に遮光機能の高い樹脂を配設して一体成形したキャビネットを備えたことを特徴とする光学機器の外装。
【発明の詳細な説明】
【０００１】
【発明の属する技術分野】
本発明は、光学機器の外装に関し、さらに詳しくは、透明ないし半透明もしくは光が透過しやすい色彩外装キャビネットを備えた光学機器、例えばカメラ等の外装キャビネットに関する。
【０００２】
【従来の技術】
カメラ等の光学機器において、外装の意匠性を高めた製品として光を透過しやすい樹脂などを外装に用い、各種の色彩、模様、キャラクタ等を施して、趣味性の彩色を施した製品がある。このような製品では、光を透過しやすい部分からの機器内部の光漏れを防止する必要があったり、調光センサの誤動作を防止する必要があるので、このような部分に遮光性を付与する。そのために従来は、このような必要性のある部分には、キャビネットの内側に黒いシートを貼付して遮光するように対策するのが一般的であった。
【０００３】
遮光手段として、種々の技術が知られている。例えば、ライトガイド、照明レンズと共に観察光学系が設けられた内視鏡の挿入部先端の観察光学系が、先端レンズとこれを支持する支持部とを一体的に形成した光学コンポーネントにおいて、先端レンズは光学的に透明なメタクリル樹脂にて形成され、支持部は光学的に不透明な黒色のメタクリル樹脂にて形成されている光学コンポーネントがある。これらの部材は、二色成形による射出成形によって一体に形成され、樹脂同士の当接部を成形型内で溶着させて接合した構造となっている。（例えば、特許文献１参照。）。
【０００４】
また、確実な遮光を確保しながら、操作部材の視認性を向上させる技術として、基体を透明シリコーンゴム組成物により成形し、キートップ部天面に透光性着色層を形成し、基体表面全面にカーボンブラック配合塗料で遮光性着色層を形成し、遮光性着色層の表面全面に加飾着色層を形成し、加飾着色層と遮光性着色層をレーザーにより抜き加工して表示部を形成し、ベース部を発光ダイオードとし、可動接点を固定接点と対面させた技術がある（例えば、特許文献２参照。）。
【０００５】
また、  巻上げノブの駆動軸を含む中央部を黒色樹脂、その外周部の操作部を赤色の着色樹脂の２色成形から形成し、巻上げノブを本体基部に組み込み、前カバー及び後カバーを組み付け、操作部は後カバーから部分的に露呈させ、赤色樹脂から形成されている操作部は視認性を向上させ、中央部は黒色樹脂で形成されているため、操作部を透過した光を遮光しカートリッジ室の内部を光密に保持する技術がある（例えば、特許文献３参照。）。
【０００６】
【特許文献１】
特開平９−１０５８７１号公報（第２−１０頁、図２）
【特許文献２】
特開平１０−３１２７２６号公報（第２−８頁、図１）
【特許文献３】
特開２００１−２９０２０３号公報（第２−４頁、図４）
【０００７】
【発明が解決しようとする課題】
本発明は外装の意匠性を高めた製品として光を透過しやすい樹脂などを外装に用い、この外装に各種の色彩、模様、キャラクタ等を施して、趣味性の彩色を施したような彩色性と透明性を有する製品に関する技術である。上記従来技術は、２色成形技術に関するものであるが、本発明とは全く別のものである。
【０００８】
デジタルカメラの場合、撮影確認のため、液晶（ＬＣＤ）を搭載しているが、色彩が明るい樹脂は一般的に隠蔽性が悪く、ＬＣＤのバックライトが樹脂を透過して見える。また、ストロボ光が樹脂を透過して調光センサの誤動作も生じやすいという問題がある。さらに銀塩カメラの場合、光隠蔽性の悪い樹脂ではフイルムが感光するおそれがある。
【０００９】
これらの対策として、従来は光漏れの怖れのある箇所にキャビネット内側から黒いシートを貼付し、光漏れを防止していた。このような対策は、部品（シート）の増加とシート貼付工数が発生し、コストアップにつながっていた。なお、キャビネットの外装塗料による遮光は、遮光性が不足し所望の効果を得ることはできない。
【００１０】
本発明は上記問題点を解決し、２色成形技術も応用して、安価で意匠性の高いカメラを提供することを目的とするものである。
【００１１】
【課題を解決するための手段】
本発明は、透明ないし半透明もしくは光が透過しやすい色彩外装キャビネットを備えた光学機器において、光漏れを防止すべき部分に遮光機能の高い樹脂を配設して一体成形したキャビネットを備えたことを特徴とする光学機器の外装を提供する。
【００１２】
従来カメラ等の光学機器において、光を透過しやすい樹脂色のキャビネットを用いる場合、内部の光漏れ防止と調光センサ誤動作防止のために、キャビネットの内側に黒いシートを貼付して対策していた。
【００１３】
本発明はシートの代わりに遮光性の高い樹脂をキャビネットに一体成形することにより、光漏れを防止し、シート部品の削除およびシート貼付工数を削減し、コストダウンを図ることができる。
【００１４】
【発明の実施の形態】
本発明はシートの代わりに遮光性の高い樹脂をキャビネットに同時に成形することにより、部品・組立工数を削減し、コストダウンを可能にした。
【００１５】
以下図面を参照して本発明の実施の形態を説明する。図１は実施例のカメラ１の正面側から見た斜視図、図２は背面側から見た斜視図である。
【００１６】
カメラ１は正面側にレンズ２、ファインダ窓３、タリー窓４、調光センサ窓５、ストロボ窓６、グリップ７、レリーズボタン８等を備え、背面側にはモードダイヤル１１、ファインダ１２、ＬＣＤ１３，ジャック部１４等を備えている。実施例のカメラ１の表裏キャビネット２１、２２は透明樹脂に鮮かな彩色を施した発色性のよい樹脂が二段に重ねられて用いられている。
【００１７】
これらの彩色としては、例えばシルバー系のグレー色では比較的遮光性が高いが、黄色系、オレンジ系、ピンク系等では遮光性が低い。黄色系、オレンジ系、ピンク系等の遮光性が低い塗料の発色性は下地樹脂により大きく変化するので、発色性、意匠性に重点指向した場合、遮光性は無視され勝ちとなる。
【００１８】
一方、ストロボ用の調光センサは微妙な特性を有し、ストロボ光の光漏れ等があると、大きな障害となる。またＬＣＤは周囲に漏光があると製品の品位が劣化し、商品性を大きく損う。
【００１９】
以上のような実情に鑑み、外観の彩色性を重視するカメラにおいて、外観の品位を向上させると共にカメラの機能を向上させることは相反する要求となる。
【００２０】
本発明は、この二律排反を克服するもので光漏れを防止すべき部分に遮光性の高い樹脂を配設すると共に、全体彩色性を高めた二重一体樹脂成形のキャビネットを成形することとした。図１、図２の斜線で影を施した部分４１、４２は難燃グレードの遮光性の高い樹脂を配設し遮光性を付与するようにした。
【００２１】
その他の部分は、彩色性を重視したカラーバリエーションを有する樹脂を重ねて形成した。なお、彩色性は樹脂の厚さと密接に関連するので、配色設計はこれらを考慮して行う。また、外表面に塗装を施すときは、この塗装を考慮した配色設計を行う。
【００２２】
【発明の効果】
本発明によれば、透明ないし半透明もしくは光が透過しやすい色彩外装キャビネットを備えたカメラ等において、遮光シート等を用いることなく、部品点数を少なくし、組立工数を削減し、コストダウンを図ることが可能となった。また、デザイン色の選択範囲が広がるという優れた効果を奏する。
【図面の簡単な説明】
【図１】実施例の正面側から見た斜視図である。
【図２】実施例の背面側から見た斜視図である。
【符号の説明】
１    カメラ
２    レンズ
３    ファインダ窓
４    タリー窓
５    調光センサ窓
６    ストロボ窓
７    グリップ
８    レリーズボタン
１１    モードダイヤル
１２    ファインダ
１３    ＬＣＤ
１４    ジャック部
２１、２２    キャビネット
４１、４２    影を施した部分
【図１】
2004184671.tif 000003
【図２】
2004184671.tif 000004